(57)【特許請求の範囲】
【請求項１】
実データ収集の１つの管理単位をサブシステムとし、通信回線を介するユーザ端末からの依頼を受けて、前記サブシステムにおいて収集された管理ポイントの実データを取得し、その取得した実データを前記ユーザ端末に返送する統合監視装置であって、
前記ユーザ端末からの所望の前記サブシステムを指定してのリクエストメッセージを受信するリクエストメッセージ受信手段と、
このリクエストメッセージ受信手段が受信したリクエストメッセージを前記指定されたサブシステムへ転送するリクエストメッセージ転送手段と、
このリクエストメッセージ転送手段が転送したリクエストメッセージに応答して前記指定されたサブシステムから送られてくるそのサブシステムにおいて収集された実データを取得する収集データ取得手段と、
この収集データ取得手段が取得した前記指定されたサブシステムからの実データを統合し、この統合した実データをファイル化した応答メッセージを前記通信回線を介して前記ユーザ端末に返送する収集データ返送手段とを備え、
前記サブシステムは、
そのサブシステムにおいて収集された実データを管理する監視装置を備え、
前記リクエストメッセージ転送手段は、
前記リクエストメッセージ受信手段が受信したリクエストメッセージを前記指定されたサブシステムの監視装置へ転送し、
前記収集データ取得手段は、
前記リクエストメッセージ転送手段が転送したリクエストメッセージに応答して前記指定されたサブシステムの監視装置から送られてくるそのサブシステムにおいて収集された実データを取得する
ことを特徴とする統合監視装置。
【請求項２】
データ収集の１つの管理単位をサブシステムとし、通信回線を介するユーザ端末からの依頼を受けて、前記サブシステムにおいて収集された管理ポイントの実データを取得し、その取得した実データを前記ユーザ端末に返送する統合監視方法であって、
前記ユーザ端末からの所望の前記サブシステムを指定してのリクエストメッセージを受信するリクエストメッセージ受信ステップと、
このリクエストメッセージ受信ステップで受信したリクエストメッセージを前記指定されたサブシステムへ転送するリクエストメッセージ転送ステップと、
このリクエストメッセージ転送ステップで転送したリクエストメッセージに応答して前記指定されたサブシステムから送られてくるそのサブシステムにおいて収集された実データを取得する収集データ取得ステップと、
この収集データ取得ステップで取得した前記指定されたサブシステムからの実データを統合し、この統合した実データをファイル化した応答メッセージを前記通信回線を介して前記ユーザ端末に返送する収集データ返送ステップとを備え、
前記サブシステムは、
そのサブシステムにおいて収集された実データを管理する監視装置を備え、
前記リクエストメッセージ転送ステップは、
前記リクエストメッセージ受信ステップで受信したリクエストメッセージを前記指定されたサブシステムの監視装置へ転送し、
前記収集データ取得ステップは、
前記リクエストメッセージ転送ステップで転送したリクエストメッセージに応答して前記指定されたサブシステムの監視装置から送られてくるそのサブシステムにおいて収集された実データを取得する
ことを特徴とする統合監視方法。
【発明の詳細な説明】
【技術分野】
【０００１】
この発明は、データ収集の１つの管理単位をサブシステムとし、通信回線を介して接続されたユーザ端末からの依頼を受けて、サブシステムにおいて収集されたデータを取得し、その取得したデータをユーザ端末に返送する統合監視装置および統合監視方法に関するものである。
【背景技術】
【０００２】
従来より、テナントビル、ホテル、病院などの施設においては、施設毎にその施設内の温度や湿度などのデータを収集し、管理するようにしている。すなわち、施設内にデータの収集対象ポイントとして多数の管理ポイントを定め、これら管理ポイントのデータを収集するようにしている。また、施設内で収集した管理ポイントのデータを通信回線を介してユーザ端末に送り、ユーザ端末において施設毎のデータを閲覧することができるようにしている（例えば、特許文献１参照）。
【０００３】
図６に従来のデータ収集システムの一例を示す。同図において、Ｓ１，Ｓ２は施設であり、施設Ｓ１にはデータ収集装置ＤＣ１−１〜ＤＣ１−ｍが設けられており、施設Ｓ２にはデータ収集装置ＤＣ２−１〜ＤＣ２−ｎが設けられている。施設Ｓ１におけるデータ収集装置ＤＣ１−１〜ＤＣ１−ｍ、施設Ｓ２におけるデータ収集装置ＤＣ２−１〜ＤＣ２−ｎは、通信回線Ｌ１を介してユーザ端末ＵＴと接続されている。
【０００４】
施設Ｓ１において、データ収集装置ＤＣ１−１は、施設Ｓ１内の管理ポイントＰ１1〜Ｐ１ｘのデータを収集し、蓄積する。データ収集装置ＤＣ１−ｍは、施設Ｓ１内の管理ポイントＰｍ1〜Ｐｍｘのデータを収集し、蓄積する。データ収集装置ＤＣ１−１〜ＤＣ１−ｎが収集・蓄積したデータ（実データ）は、ユーザ端末ＵＴからの要求に応じ、通信回線Ｌ１を介してユーザ端末ＵＴへ送られる。
【０００５】
施設Ｓ２において、データ収集装置ＤＣ２−１は、施設Ｓ２内の管理ポイントＰ２1〜Ｐ２ｘのデータを収集し、蓄積する。データ収集装置ＤＣ２−ｎは、施設Ｓ２内の管理ポイントＰｎ1〜Ｐｎｘのデータを収集し、蓄積する。データ収集装置ＤＣ２−１〜ＤＣ２−ｎが収集・蓄積したデータ（実データ）は、ユーザ端末ＵＴからの要求に応じ、通信回線Ｌ１を介してユーザ端末ＵＴへ送られる。
【０００６】
なお、図６には施設ＳとしてＳ１，Ｓ２の２つしか示していないが、同様の施設Ｓが多数存在する。ユーザ端末ＵＴにおいて、例えば全ての施設Ｓを閲覧先の施設として指定した場合、ユーザ端末ＵＴは、これら施設Ｓ毎に、その施設Ｓ内のデータ収集装置ＤＣに順番にアクセスし、そのデータ収集装置ＤＣ内に収集・蓄積されているデータ（実データ）を取り込んで行く。
【０００７】
【特許文献１】特開２００１−１１１７０４号公報
【発明の開示】
【発明が解決しようとする課題】
【０００８】
しかしながら、図６に示したデータ収集システムでは、ユーザ端末ＵＴが施設Ｓ内のデータ収集装置ＤＣに順番にアクセスし、そのデータ収集装置ＤＣ内に収集・蓄積されているデータを取り込んで行くため、閲覧先の施設として指定する施設Ｓが増えれば増えるほど、ユーザ端末ＵＴにかかる負荷が大きくなる。このため、ユーザ端末ＵＴとして、処理能力の大きいコンピュータを用いなければならない。このようなユーザ端末ＵＴは、例えば施設Ｓ毎に設けられたり、中央の監視室に設けられたりするなど、複数設けられるものであって、データ収集システム全体としてみた場合、ユーザ端末ＵＴとして処理能力の大きいコンピュータを用いることによるコストアップは過大なものとなる。
【０００９】
なお、このデータ収集システムでは、施設Ｓがデータ収集の１つの管理単位とされる。本発明では、このデータ収集の１つの管理単位をサブシステムと呼ぶ。図６に示したシステムでは、施設Ｓ１をサブシステムＡ、施設Ｓ２をサブシステムＢと呼ぶ。
【００１０】
本発明は、このような課題を解決するためになされたもので、その目的とするところは、ユーザ端末として処理能力の小さいコンピュータを使用し、データ収集システム全体としてのコストダウンを図ることが可能な統合監視装置および統合監視方法を提供することにある。
【課題を解決するための手段】
【００１１】
このような目的を達成するために本発明は、上述したデータ収集システムに、通信回線を介するユーザ端末からの依頼を受けて、サブシステムにおいて収集された管理ポイントの実データを取得し、その取得した実データをユーザ端末に返送する統合監視装置を設け、この統合監視装置に、ユーザ端末からの所望のサブシステムを指定してのリクエストメッセージを受信するリクエストメッセージ受信手段と、このリクエストメッセージ受信手段が受信したリクエストメッセージを指定されたサブシステムへ転送するリクエストメッセージ転送手段と、このリクエストメッセージ転送手段が転送したリクエストメッセージに応答して指定されたサブシステムから送られてくるそのサブシステムにおいて収集された実データを取得する収集データ取得手段と、この収集データ取得手段が取得した指定されたサブシステムからの実データを統合してユーザ端末に返送する収集データ返送手段とを設けたものである。
【００１２】
この発明によれば、例えば、ユーザ端末からサブシステムＡ，Ｂを指定して統合監視装置へリクエストメッセージを送信すると、統合監視装置は、このユーザ端末からのサブシステムＡ，Ｂを指定してのリクエストメッセージを受信し、この受信したリクエストメッセージを指定されたサブシステムＡ，Ｂへ転送する。サブシステムＡ，Ｂでは、統合監視装置からのリクエストメッセージを受けて、サブシステムＡ，Ｂにおいて収集された管理ポイントの実データを返送する。統合監視装置は、サブシステムＡ，Ｂから返送されてきた実データを取得し、この取得したサブシステムＡ，Ｂからの実データを統合し、この統合した実データをファイル化した応答メッセージを通信回線を介してユーザ端末に返送する。
【００１３】
この場合、ユーザ端末では、サブシステムＡ，Ｂを指定して統合監視装置へリクエストメッセージを送信するのみでよく、サブシステムＡ，Ｂにおいて収集されたデータの取り込み、取り込んだデータの統合、統合したデータのユーザ端末への返送は統合監視装置が行うので、ユーザ端末にかかる負荷が小さく、ユーザ端末として処理能力の小さいコンピュータを用いることが可能となる。
【００１４】
また、本発明では、サブシステムに、そのサブシステムにおいて収集された実データを管理する監視装置を設け、ユーザ端末からのリクエストメッセージを指定されたサブシステムの監視装置へ転送し、この転送したリクエストメッセージに応答して指定されたサブシステムの監視装置から送られてくるそのサブシステムにおいて収集された実データを取得するようにする。また、本発明は、データ収集システムに用いる統合監視装置としてではなく、データ収集システムに適用する統合監視方法としても実現することが可能である。
【発明の効果】
【００１５】
本発明によれば、統合監視装置において、ユーザ端末からの所望のサブシステムを指定してのリクエストメッセージを受信し、受信したリクエストメッセージを指定されたサブシステムへ転送し、この転送したリクエストメッセージに応答して指定されたサブシステムから送られてくるそのサブシステムにおいて収集された管理ポイントの実データを取得し、この取得した指定されたサブシステムからの実データを統合し、この統合した実データをファイル化した応答メッセージを通信回線を介してユーザ端末に返送するようにしたので、ユーザ端末では、サブシステムを指定して統合監視装置へリクエストメッセージを送信するのみでよく、指定されたサブシステムにおいて収集されたデータの取り込み、取り込んだ実データの統合、統合した実データのユーザ端末への返送は統合監視装置で行われるものとなり、ユーザ端末にかかる負荷が小さく、ユーザ端末として処理能力の小さいコンピュータを使用し、データ収集システム全体としてのコストダウンを図ることが可能となる。
また、本発明によれば、サブシステムに、そのサブシステムにおいて収集された実データを管理する監視装置を設け、ユーザ端末からのリクエストメッセージを指定されたサブシステムの監視装置へ転送し、この転送したリクエストメッセージに応答して指定されたサブシステムの監視装置から送られてくるそのサブシステムにおいて収集された実データを取得するようにすることにより、監視装置や統合監視装置にかかる負荷を分散し、統合監視装置や監視装置として処理能力の小さいコンピュータを使用することが可能となる。
【発明を実施するための最良の形態】
【００１６】
以下、本発明を図面に基づいて詳細に説明する。図１はこの発明に係る統合監視装置を用いたデータ収集システムの一実施の形態を示す図である。同図において、図６と同一符号は図６を参照して説明した構成要素と同一或いは同等構成要素を示し、その説明は省略する。
【００１７】
この実施の形態において、施設Ｓ１（サブシステムＡ）には監視装置ＳＭＳ１が設けられており、データ収集装置ＤＣ１−１〜ＤＣ１−ｍと同様に通信回線Ｌ１に接続されている。監視装置ＳＭＳ１は、データ収集装置ＤＣ１−１〜ＤＣ１−ｍに定期的にアクセスし、データ収集装置ＤＣ１−１〜ＤＣ１−ｍに収集・蓄積されているデータ（実データ）を取り込んで、施設Ｓ１において収集されたデータとしてデータベースＤＢ１に保存する。
【００１８】
また、施設Ｓ２（サブシステムＢ）には監視装置ＳＭＳ２が設けられており、データ収集装置ＤＣ２−１〜ＤＣ２−ｎと同様に通信回線Ｌ１に接続されている。監視装置ＳＭＳ２は、データ収集装置ＤＣ２−１〜ＤＣ２−ｎに定期的にアクセスし、データ収集装置ＤＣ２−１〜ＤＣ２−ｎに収集・蓄積されているデータ（実データ）を取り込んで、施設Ｓ２において収集されたデータとしてデータベースＤＢ２に保存する。
【００１９】
また、この実施の形態において、通信回線Ｌ１には、本実施の形態特有の装置として、統合監視装置１００が設けられている。なお、この実施の形態において、通信回線Ｌ１は、ＩＰプロトコルネットワークとされている。また、この実施の形態では、施設ＳとしてＳ１，Ｓ２の２つしか示していないが、同様の施設Ｓが多数存在する。また、この実施の形態では、ユーザ端末ＵＴを１つしか示していないが、同様のユーザ端末ＵＴが多数存在する。
【００２０】
図２に統合監視装置１００のハードウェア構成の概略を示す。同図において、１００ＡはＣＰＵ、１００ＢはＲＡＭ、１００ＣはＲＯＭ、１００Ｄはハードディスクなどの記憶装置、１００Ｅはインターフェイスである。ＣＰＵ１００Ａは、ＲＡＭ１００Ｂにアクセスしながら、ＲＯＭ１００Ｃや記憶装置１００Ｄに格納されたプログラムに従って動作する。記憶装置１００Ｄには、本実施の形態特有のプログラムとして、統合監視プログラムが格納されている。この統合監視プログラムは、例えばＣＤ−ＲＯＭなどの記録媒体に記録された状態で提供され、この記録媒体から読み出されて記憶装置１００Ｄにインストールされている。
【００２１】
以下、図３に示すフローチャートに従って、統合監視装置１００のＣＰＵ１００Ａが上述した統合監視プログラムに従って実行する処理動作について説明する。この例では、ユーザ端末ＵＴにおいて、施設Ｓ１およびＳ２のデータの閲覧を行うものとする。
【００２２】
ユーザは、ユーザ端末ＵＴにおいて施設Ｓ１およびＳ２のデータを閲覧したい場合、ユーザ端末ＵＴの監視画面上で施設Ｓ１およびＳ２を指定し、データの閲覧要求を行う。このデータの閲覧要求を受けて、ユーザ端末ＵＴは、施設Ｓ１およびＳ２を指定してのリクエストメッセージを通信回線Ｌ１を介して統合監視装置１００へ送る（図４：矢印（１））。
【００２３】
統合監視装置１００のＣＰＵ１００Ａは、ユーザ端末ＵＴからの施設Ｓ１およびＳ２を指定してのリクエストメッセージを受信すると（ステップＳ１０１のＹＥＳ）、その受信したリクエストメッセージを解析する（ステップＳ１０２）。この解析によって、ＣＰＵ１００Ａは、受信したリクエストメッセージがデータの閲覧要求であり、そのデータの閲覧要求先が施設Ｓ１およびＳ２であることを知る。
【００２４】
そして、ＣＰＵ１００Ａは、ステップＳ１０２での解析結果から、ユーザ端末ＵＴからのリクエストメッセージの宛先を取得する（ステップＳ１０３）。この例では、データの閲覧要求先が施設Ｓ１およびＳ２であるので、施設Ｓ１における監視装置ＳＭＳ１および施設Ｓ２における監視装置ＳＭＳ２のＩＰアドレスをユーザ端末ＵＴからのリクエストメッセージの宛先として取得する。
【００２５】
そして、ＣＰＵ１００Ａは、取得した宛先毎にデータ閲覧の依頼メッセージを作成し（ステップＳ１０４）、取得した宛先毎にその作成した依頼メッセージを送信する（ステップＳ１０５）。すなわち、ユーザ端末ＵＴからのリクエストメッセージを依頼メッセージとし、通信回線Ｌ１を介して、施設Ｓ１における監視装置ＳＭＳ１および施設Ｓ２における監視装置ＳＭＳ２に転送する（図４：矢印（２），（３））。
【００２６】
施設Ｓ１における監視装置ＳＭＳ１は、統合監視装置１００からの依頼メッセージを受けると、データベースＤＢ１に収集・蓄積されている施設Ｓ１において収集されたデータを通信回線Ｌ１を介して統合監視装置１００に返送する（図４：矢印（４））。
施設Ｓ２における監視装置ＳＭＳ２は、統合監視装置１００からの依頼メッセージを受けると、データベースＤＢ２に収集・蓄積されている施設Ｓ２において収集されたデータを通信回線Ｌ１を介して統合監視装置１００に返送する（図４：矢印（５））。
【００２７】
統合監視装置１００のＣＰＵ１００Ａは、監視装置ＳＭＳ１からの施設Ｓ１において収集されたデータおよび監視装置ＳＭＳ２からの施設Ｓ２において収集されたデータを受信すると（ステップＳ１０６）、この受信した施設Ｓ１において収集されたデータおよび施設Ｓ２において収集されたデータを統合し（ステップＳ１０７）、この統合したデータをファイル化した応答メッセージを通信回線Ｌ１を介してユーザ端末ＵＴに返送する（ステップＳ１０８、図４：矢印（６））。
【００２８】
ユーザ端末ＵＴは、統合監視装置１００から応答メッセージが送られてくると、この送られてきた応答メッセージに含まれている統合化されたデータを抽出し、その抽出した統合化されたデータを画面上に表示する。これにより、ユーザ端末ＵＴの画面上には、施設Ｓ１において収集されたデータおよび施設Ｓ２において収集されたデータが表示される。
【００２９】
以上の説明から分かるように、本実施の形態において、ユーザ端末ＵＴでは、施設Ｓ１（サブシステムＡ），施設Ｓ２（サブシステムＢ）を指定して統合監視装置１００へリクエストメッセージを送信するのみでよく、施設Ｓ１（サブシステムＡ），施設Ｓ２（サブシステムＢ）において収集されたデータの取り込み、取り込んだデータの統合、統合したデータのユーザ端末ＵＴへの返送は統合監視装置１００が行うので、ユーザ端末ＵＴにかかる負荷が小さく、ユーザ端末ＵＴとして処理能力の小さいコンピュータを用いることができ、データ収集システム全体としてのコストダウンを図ることが可能となる。
【００３０】
参考として、図５に、上述した実施の形態における統合監視装置１００の要部の機能ブロック図を示す。統合監視装置１００は、リクエストメッセージ受信手段１Ａと、リクエストメッセージ解析手段１Ｂと、リクエストメッセージ転送手段１Ｃと、収集データ取得手段１Ｄと、収集データ統合手段１Ｅと、応答メッセージ作成送信手段１Ｆとを備えている。
【００３１】
リクエストメッセージ受信手段１Ａは、ユーザ端末ＵＴからの所望のサブシステムを指定してのリクエストメッセージを受信する。リクエストメッセージ解析手段１Ｂは、リクエストメッセージ受信手段１Ａにおいて受信されたリクエストメッセージを解析し、その解析結果をリクエストメッセージ転送手段１Ｃへ送る。リクエストメッセージ転送手段１Ｃは、リクエストメッセージ解析手段１Ｂからの解析結果から、ユーザ端末ＵＴからのリクエストメッセージの宛先を取得し、その取得した宛先毎にリクエストメッセージ（依頼メッセージ）を転送する。
【００３２】
収集データ取得手段１Ｄは、リクエストメッセージ転送手段１Ｃが転送したリクエストメッセージに応答して宛先のサブシステムから返送されてくるそのサブシステムにおいて収集されたデータを取得し、その取得したデータを収集データ統合手段１Ｅへ送る。収集データ統合手段１Ｅは、収集データ取得手段１Ｄからのデータを統合し、この統合したデータを応答メッセージ作成送信手段１Ｆへ送る。応答メッセージ作成送信手段１Ｆは、収集データ統合手段１Ｅからの統合されたデータをファイル化した応答メッセージを作成し、この作成した応答メッセージをユーザ端末ＵＴへ返送する。
【図面の簡単な説明】
【００３３】
【図１】本発明に係る統合監視装置を用いたデータ収集システムの一実施の形態を示す図である。
【図２】このデータ収集システムにおける統合監視装置のハードウェア構成の概略を示す図である。
【図３】この統合監視装置におけるＣＰＵが実行する統合監視プログラムに従う処理動作を示すフローチャートである。
【図４】この統合監視装置におけるＣＰＵが実行する統合監視プログラムに従う処理動作を説明するためのメッセージやデータの流れを示す図である。
【図５】この統合監視装置の要部の機能ブロック図である。
【図６】従来のデータ収集システムの一例を示す図である。
【符号の説明】
【００３４】
ＤＣ（ＤＣ１（ＤＣ１−１〜ＤＣ１−ｍ）、ＤＣ２（ＤＣ２−１〜ＤＣ２−ｎ））…データ収集装置、ＳＭＳ（ＳＭＳ１，ＳＭＳ２）…監視装置、ＤＢ（ＤＢ１，ＤＢ２）…データベース、Ｌ１…通信回線、Ｐ（Ｐ１1〜Ｐ１ｘ、Ｐｍ1〜Ｐｍｘ、Ｐ２1〜Ｐ２ｘ、Ｐｎ1〜Ｐｎｘ）…管理ポイント、Ｓ（Ｓ１，Ｓ２）…施設（サブシステム）、１００…統合監視装置、１００Ａ…ＣＰＵ、１００Ｂ…ＲＡＭ、１００Ｃ…ＲＯＭ、１００Ｄ…記憶装置、１００Ｅ…インタフェース、１Ａ…リクエストメッセージ受信手段、１Ｂ…リクエストメッセージ解析手段、１Ｃ…リクエストメッセージ転送手段、１Ｄ…収集データ取得手段、１Ｆ…収集データ統合手段、１Ｅ…応答メッセージ作成送信手段。
【図１】
0005384820.tif 000002
【図２】
0005384820.tif 000003
【図３】
0005384820.tif 000004
【図４】
0005384820.tif 000005
【図５】
0005384820.tif 000006
【図６】
0005384820.tif 000007